(57)【要約】【課題】温度の上昇に起因してレーザ光発生部の発光効率が低下するのを抑制することが可能なプロジェクタを提供する。【解決手段】この携帯型プロジェクタ１（プロジェクタ）は、レーザ光を発する赤色・青色ＬＤ１２および緑色ＬＤ１３と、レーザ光を走査させることによって任意の投影領域２に映像を投影するスキャナーミラー１５と、レーザ光の走査区間３０のうちの予め設定された一部の走査区間（レーザ光停止区間４０ｂ）において赤色・青色ＬＤ１２および緑色ＬＤ１３に対する電流の供給を停止することによって、赤色・青色ＬＤ１２および緑色ＬＤ１３にレーザ光を発生させないように制御する制御部１１とを備える。【選択図】図５
2014199450.tif 000002
【特許請求の範囲】
【請求項１】
レーザ光を発するレーザ光発生部と、
前記レーザ光を走査させることによって任意の投影領域に映像を投影する投影部と、
前記投影領域の走査区間を前記レーザ光の走査方向に複数分割し、分割された各投影領域において、同一方向に走査される期間に前記レーザ光発生部から前記レーザ光を発生させるとともに、前記レーザ光が発生される期間と反対方向に走査される期間に前記レーザ光発生部から前記レーザ光を発生させないように制御する制御部とを備える、プロジェクタ。
【請求項２】
前記制御部は、前記レーザ光が発生される期間と反対方向に走査される期間に、前記レーザ光発生部に供給される電流値が閾値未満になるようにして、前記レーザ光発生部に前記レーザ光を発生させないように制御するように構成されている、請求項１に記載のプロジェクタ。
【請求項３】
前記制御部は、前記レーザ光が発生される期間と反対方向に走査される期間に、前記レーザ光発生部に供給される電流値がレーザ発光を発生させない発光閾値未満になるように制御するように構成されている、請求項１または２に記載のプロジェクタ。
【請求項４】
前記走査区間は、往路と復路とから構成される往復走査区間を含み、
前記制御部は、前記往復走査区間の往路の前記分割された複数の投影領域のうちの第１投影領域の走査区間と復路の前記分割された複数の投影領域のうちの前記第１投影領域とは異なる第２投影領域の走査区間との両方において、前記レーザ光発生部に前記レーザ光を発生させない制御を行うように構成されている、請求項１〜３のいずれか１項に記載のプロジェクタ。
【請求項５】
前記往路の前記第１投影領域の走査区間の長さおよび前記復路の前記第２投影領域の走査区間の長さは、それぞれ、前記往路の長さの略半分および前記復路の長さの略半分である、請求項４に記載のプロジェクタ。
【請求項６】
前記レーザ光発生部と前記投影部と前記制御部とを含むプロジェクタ本体をさらに備え、
前記プロジェクタ本体は、ユーザによって携帯される携帯型のプロジェクタ本体からなる、請求項１〜５のいずれか１項に記載のプロジェクタ。
【請求項７】
前記投影部は、前記投影領域に前記レーザ光を所定の時間間隔で繰り返し走査させることによって、前記映像を前記投影領域に投影するように構成されており、
前記制御部は、第１の走査の際に、前記レーザ光の走査区間のうちの前記分割された複数の投影領域のうちの一部の前記投影領域の走査区間において、前記レーザ光発生部に前記レーザ光を発生させない制御を行うように構成されているとともに、前記第１の走査と同じ走査区間を前記第１の走査の次に走査する第２の走査の際に、前記第１の走査の際に前記レーザ光を発生させなかった前記走査区間において、前記レーザ光発生部に前記レーザ光を発生させ、かつ、前記レーザ光を発生させなかった前記走査区間とは異なる走査区間において、前記レーザ光発生部に前記レーザ光を発生させない制御を行うように構成されており、
前記制御部は、前記第１の走査と前記第２の走査とを繰り返す制御を行うように構成されている、請求項１〜６のいずれか１項に記載のプロジェクタ。
【請求項８】
前記投影部は、前記レーザ光の同じ走査区間を繰り返し走査させることによって前記映像を前記投影領域に投影するように構成されており、
前記制御部は、前記第１の走査としての第１回目の走査の際に、前記レーザ光の走査区間のうちの前記分割された複数の投影領域のうちの一部の前記投影領域の走査区間において前記レーザ光発生部に前記レーザ光を発生させない制御を行うように構成されているとともに、前記第２の走査としての第２回目の走査の際に、前記第１回目の走査の際に前記レーザ光を発生させなかった前記走査区間において前記レーザ光発生部に前記レーザ光を発生させ、かつ、前記レーザ光を発生させなかった前記走査区間とは異なる走査区間において前記レーザ光発生部に前記レーザ光を発生させない制御を行うように構成されている、請求項７に記載のプロジェクタ。
【請求項９】
前記走査区間は、前記投影領域のうちの所定の領域に対応する第１走査区間と、前記投影領域のうちの前記第１走査区間とは異なる領域に対応する第２走査区間とから構成されるとともに、
前記投影部は、前記第１走査区間と前記第２走査区間とを１組とする走査が繰り返し行われることによって、前記映像を前記投影領域に投影するように構成されており、
前記制御部は、前記第１走査区間の走査と前記第２走査区間の走査とを交互に繰り返し行う場合に、前記第１の走査としての第１回目の走査の際に、前記レーザ光の第１走査区間のうちの前記分割された複数の投影領域のうちの一部の前記投影領域の走査区間において前記レーザ光発生部に前記レーザ光を発生させない制御を行うように構成されており、前記第１の走査としての第２回目の走査の際に、前記レーザ光の第２走査区間のうちの前記分割された複数の投影領域のうちの一部の前記投影領域の走査区間において前記レーザ光発生部に前記レーザ光を発生させない制御を行うように構成されているとともに、前記第２の走査としての第３回目の走査の際に、前記第１回目の走査の際に前記レーザ光を発生させなかった前記走査区間において前記レーザ光発生部に前記レーザ光を発生させ、かつ、前記レーザ光を発生させなかった前記走査区間とは異なる走査区間において前記レーザ光発生部に前記レーザ光を発生させない制御を行うように構成されており、前記第２の走査としての第４回目の走査の際に、前記第２回目の走査の際に前記レーザ光を発生させなかった前記走査区間において前記レーザ光発生部に前記レーザ光を発生させ、かつ、前記レーザ光を発生させなかった前記走査区間とは異なる走査区間において前記レーザ光発生部に前記レーザ光を発生させない制御を行うように構成されている、請求項７に記載のプロジェクタ。
【請求項１０】
前記制御部は、前記レーザ光発生部に対して供給される電流の大きさに応じて、前記レーザ光発生部にレーザ光の発生を停止させる走査区間の数を変更させるとともに、レーザ光の発生が停止された前記走査区間の長さを変更する制御を行うように構成されている、請求項１〜９のいずれか１項に記載のプロジェクタ。
【発明の詳細な説明】
【技術分野】
【０００１】
この発明は、プロジェクタに関し、特に、レーザ光発生部を備えるプロジェクタに関する。
【背景技術】
【０００２】
従来、レーザ光発生部を備えるプロジェクタなどが知られている（たとえば、特許文献１〜４参照）。
【０００３】
上記特許文献１では、レーザを出力する複数のレーザ発生部から構成されたレーザ光出力手段と、複数のレーザ発生部のうちの一部のレーザ発生部のレーザ出力を停止させて光の明るさを低下させることによって、消費電力を小さくするように制御する制御部とを備えた映像表示装置が開示されている。
【０００４】
また、上記特許文献２では、光ビームを発生させるレーザダイオードと、レーザダイオードから発生された光ビームを走査させるための可動ミラーと、可動ミラーを駆動させるための電極駆動部と、光ビームを検出して同期検出信号を出力する同期検知センサと、走査終端の光ビームを検出する終端検知センサとを備えた光走査装置が開示されている。上記特許文献２の光走査装置では、同期検出信号に基づいて光ビームの走査のタイミングを取るように構成されている。また、上記特許文献２の光走査装置では、レーザダイオードが点灯された状態で、電極駆動部に印加される電圧が所定値を越えても同期検知センサおよび終端検知センサからの検出信号が得られない場合、可動ミラーにおいて光ビームが正しく走査されていない異常な状態であると判断されて、レーザダイオードへの電流の供給が中止されるように構成されている。
【０００５】
また、上記特許文献３では、赤色、緑色および青色の３色のレーザ光を発生させるレーザ光源と、レーザ光を光変調器において変調する光変調器と、光変調器において変調されたレーザ光の一部を遮断するための水平光チョッパと、水平光チョッパからのレーザ光を水平方向に走査するポリゴンミラーと、ポリゴンミラーにおいて水平方向に走査されたレーザ光を垂直方向に走査してスクリーンに画像を表示するガルバノミラーとを備えた光走査型プロジェクタが開示されている。上記特許文献３の光走査型プロジェクタでは、水平光チョッパにおいて、隣接した画素間を分離するようにレーザ光を遮断することによって、スクリーンに表示される画像において画素間の境界を際立たせるように構成されている。
【０００６】
また、上記特許文献４では、レーザ光を発生させる半導体レーザと、半導体レーザから発生されたレーザ光を走査するための回転多面鏡と、走査されたレーザ光の通過タイミングを検出する光検出装置とを備えた光走査装置が開示されている。上記特許文献４の光走査装置は、光検出装置によって検出されたレーザ光の通過タイミングと画像情報とにずれがある場合において、ずれが存在する位置における画像情報のデータを削除または追加することによって、ずれを補正するように構成されている。なお、この光走査装置では、画像情報に基づいてレーザ光の発光や発光停止を行うように構成されており、レーザ光の発光や発光停止は半導体レーザの光出力を変化させることによって行われるように構成されている。
【先行技術文献】
【特許文献】
【０００７】
【特許文献１】特開２００４−２７９９４３号公報
【特許文献２】特開２００２−３４１２８５号公報
【特許文献３】特開２００２−２９６６７７号公報
【特許文献４】特開２００１−３０５３７号公報
【発明の概要】
【発明が解決しようとする課題】
【０００８】
しかしながら、上記特許文献１による映像表示装置では、複数のレーザ発生部のうちの一部のレーザ発生部のレーザ出力を停止させる一方、残りのレーザ発生部では継続的にレーザ出力が行われるため、継続的にレーザ出力が行われる残りのレーザ発生部において温度が上昇しやすいという不都合がある。このため、温度の上昇に起因して継続的にレーザ出力が行われるレーザ発生部の発光効率（電流に対する光出力）が低下するという問題点がある。
【０００９】
また、上記特許文献２による光走査装置では、可動ミラーにおいて光ビームを正しく走査させていないと判断される異常な状態ではレーザダイオードへの電流の供給が中止される一方、可動ミラーにおいて光ビームを正しく走査させていると判断される正常な状態では、レーザダイオードへの電流の供給が中止されない。このため、正常な状態が継続している間は、常にレーザダイオードから継続的に光ビームが発生されていると考えられる。この場合、レーザダイオードにおいて温度が上昇しやすいという不都合がある。したがって、温度の上昇に起因してレーザダイオードの発光効率が低下するという問題点がある。
【００１０】
また、上記特許文献３による光走査型プロジェクタでは、水平光チョッパにおいて、隣接した画素間を分離するようにレーザ光を遮断する一方、レーザ光源から継続的にレーザ光が発生されているため、レーザ光源において温度が上昇しやすいという不都合がある。このため、温度の上昇に起因してレーザ光源の発光効率が低下するという問題点がある。
【００１１】
また、上記特許文献４による光走査装置では、画像情報に基づいてレーザ光の発光が停止される場合がある一方、画像情報によっては、半導体レーザから継続的にレーザ光が発生される状態が生じる場合があると考えられる。この場合、半導体レーザにおいて温度が上昇しやすいという不都合がある。このため、温度の上昇に起因して半導体レーザの発光効率が低下するという問題点がある。
【００１２】
この発明は、上記のような課題を解決するためになされたものであり、この発明の１つの目的は、温度の上昇に起因してレーザ光発生部の発光効率が低下するのを抑制することが可能なプロジェクタを提供することである。
【課題を解決するための手段および発明の効果】
【００１３】
この発明の一の局面によるプロジェクタは、レーザ光を発するレーザ光発生部と、レーザ光を走査させることによって任意の投影領域に映像を投影する投影部と、投影領域の走査区間をレーザ光の走査方向に複数分割し、分割された各投影領域において、同一方向に走査される期間にレーザ光発生部からレーザ光を発生させるとともに、レーザ光が発生される期間と反対方向に走査される期間にレーザ光発生部からレーザ光を発生させないように制御する制御部とを備える。
【００１４】
この発明の一の局面によるプロジェクタでは、上記のように、制御部がレーザ光の走査区間のうちの予め設定された一部の走査区間においてレーザ光発生部に対する電流の供給を停止することによりレーザ光発生部にレーザ光を発生させないように制御することによって、たとえば、画像情報や、投影部の異常な状態などに基づいてレーザ光の発生および停止を制御する場合と異なり、一部の走査区間においてレーザ光発生部にレーザ光を発生させないように予め設定されているので、レーザ光発生部に継続的にレーザ光を発生させる状態が生じるのを確実に抑制することができる。また、一部の走査区間においてレーザ光発生部にレーザ光を発生させないように予め設定することにより、レーザ光を発生させない走査区間においてレーザ光発生部はレーザ光を発している際に発生した熱を外部に放出することができる。これらにより、レーザ光発生部における温度の上昇を抑制することができるので、温度の上昇に起因してレーザ光発生部の発光効率が低下するのを抑制することができる。
【００１５】
また、一般的に、レーザ光発生部に供給される電流が所定の発光閾値未満である場合には、レーザ光発生部はレーザ光を発光しないため、レーザ光の輝度を下げる場合にも発光閾値以上の電流を流す必要がある。このような状況下において、本発明のプロジェクタでは、プロジェクタがレーザ光を走査区間の全体を走査させながらレーザ光の輝度を下げることによって消費電力を小さくするように構成されている場合と異なり、レーザ光発生部に対する電流の供給を停止することによりレーザ光発生部に発光閾値以上の電流を流し続ける必要がないので、消費電力をより小さくすることができる。
【００１６】
上記一の局面によるプロジェクタにおいて、好ましくは、制御部は、レーザ光が発生される期間と反対方向に走査される期間に、レーザ光発生部に供給される電流値が閾値未満になるようにして、レーザ光発生部にレーザ光を発生させないように制御するように構成されている。
【００１７】
上記一の局面によるプロジェクタにおいて、好ましくは、制御部は、レーザ光が発生される期間と反対方向に走査される期間に、レーザ光発生部に供給される電流値がレーザ発光を発生させない発光閾値未満になるように制御するように構成されている。
【００１８】
上記一の局面によるプロジェクタにおいて、好ましくは、走査区間は、往路と復路とから構成される往復走査区間を含み、制御部は、往復走査区間の往路の分割された複数の投影領域のうちの第１投影領域の走査区間と復路の分割された複数の投影領域のうちの第１投影領域とは異なる第２投影領域の走査区間との両方において、レーザ光発生部にレーザ光を発生させない制御を行うように構成されている。このように構成すれば、往路と復路とを走査可能な投影部を用いるプロジェクタにおいて、レーザ光発生部の発光効率が低下するのを抑制することができる。また、レーザ光発生部において継続的にレーザ光を発生させる状態が生じるのを抑制することができるとともに、往路の一部の走査区間と復路の一部の走査区間との両方においてレーザ光発生部は熱を外部に放出することができるので、レーザ光発生部における温度の上昇をより抑制することができる。
【００１９】
上記往路の一部の走査区間と復路の一部の走査区間との両方においてレーザ光を発生させないプロジェクタにおいて、好ましくは、往路の第１投影領域の走査区間の長さおよび復路の第２投影領域の走査区間の長さは、それぞれ、往路の長さの略半分および復路の長さの略半分である。このように構成すれば、往路の長さの略半分である往路の一部の走査区間と復路の長さの略半分である復路の一部の走査区間との両方においてレーザ光発生部は熱を外部に放出することができるので、レーザ光発生部における温度の上昇を効果的に抑制することができる。
【００２０】
上記一の局面によるプロジェクタにおいて、好ましくは、レーザ光発生部と投影部と制御部とを含むプロジェクタ本体をさらに備え、プロジェクタ本体は、ユーザによって携帯される携帯型のプロジェクタ本体からなる。このように構成すれば、たとえば、バッテリー駆動によって携帯型のプロジェクタを駆動させた場合であっても、プロジェクタ本体の消費電力が低減される分、ユーザがプロジェクタを長時間使用することができる。
【００２１】
上記一の局面によるプロジェクタにおいて、好ましくは、投影部は、投影領域にレーザ光を所定の時間間隔で繰り返し走査させることによって、映像を投影領域に投影するように構成されており、制御部は、第１の走査の際に、レーザ光の走査区間のうちの分割された複数の投影領域のうちの一部の投影領域の走査区間において、レーザ光発生部にレーザ光を発生させない制御を行うように構成されているとともに、第１の走査と同じ走査区間を第１の走査の次に走査する第２の走査の際に、第１の走査の際にレーザ光を発生させなかった走査区間において、レーザ光発生部にレーザ光を発生させ、かつ、レーザ光を発生させなかった走査区間とは異なる走査区間において、レーザ光発生部にレーザ光を発生させない制御を行うように構成されており、制御部は、第１の走査と第２の走査とを繰り返す制御を行うように構成されている。このように構成すれば、第１の走査の際にレーザ光を発生させなかった走査区間を、第１の走査と同じ走査区間を第１の走査の次に走査する第２の走査の際にレーザ光を発生させることにより補うことができる。これにより、レーザ光を発生させなかった走査区間が存在することに起因して、投影領域に投影される映像の解像度が低下するのを抑制することができる。また、第１の走査と同じ走査区間を第１の走査の次に走査する第２の走査の際に、レーザ光を発生させなかった走査区間とは異なる走査区間において、レーザ光発生部に対する電流の供給を停止することにより、レーザ光発生部にレーザ光を発生させないように構成することによって、レーザ光発生部に継続的にレーザ光を発生させる状態が生じるのを抑制することができるとともに、レーザ光を発生させなかった走査区間とは異なる走査区間においてレーザ光を発している際に発生した熱を外部に放出することができる。
【００２２】
上記第１の走査と第２の走査とを繰り返すプロジェクタにおいて、好ましくは、投影部は、レーザ光の同じ走査区間を繰り返し走査させることによって映像を投影領域に投影するように構成されており、制御部は、第１の走査としての第１回目の走査の際に、レーザ光の走査区間のうちの分割された複数の投影領域のうちの一部の投影領域の走査区間においてレーザ光発生部にレーザ光を発生させない制御を行うように構成されているとともに、第２の走査としての第２回目の走査の際に、第１回目の走査の際にレーザ光を発生させなかった走査区間においてレーザ光発生部にレーザ光を発生させ、かつ、レーザ光を発生させなかった走査区間とは異なる走査区間においてレーザ光発生部にレーザ光を発生させない制御を行うように構成されている。このように構成すれば、レーザ光の同じ走査区間を繰り返し走査させるプログレッシブ方式において、第１回目の走査の際にレーザ光を発生させなかった走査区間を、次の第２回目の走査の際にレーザ光を発生させることにより補うことができる。これにより、レーザ光を発生させなかった走査区間が存在することに起因して、投影領域に投影される映像の解像度が低下するのをより確実に抑制することができる。また、第２回目の走査の際に、レーザ光を発生させなかった走査区間とは異なる走査区間においてレーザ光発生部にレーザ光を発生させないように構成することによって、レーザ光発生部に継続的にレーザ光を発生させる状態が生じるのを抑制することができるとともに、レーザ光を発生させなかった走査区間とは異なる走査区間においてレーザ光を発している際に発生した熱を外部に放出することができる。
【００２３】
上記第１の走査と第２の走査とを繰り返すプロジェクタにおいて、好ましくは、走査区間は、投影領域のうちの所定の領域に対応する第１走査区間と、投影領域のうちの第１走査区間とは異なる領域に対応する第２走査区間とから構成されるとともに、投影部は、第１走査区間と第２走査区間とを１組とする走査が繰り返し行われることによって、映像を投影領域に投影するように構成されており、制御部は、第１走査区間の走査と第２走査区間の走査とを交互に繰り返し行う場合に、第１の走査としての第１回目の走査の際に、レーザ光の第１走査区間のうちの分割された複数の投影領域のうちの一部の投影領域の走査区間においてレーザ光発生部にレーザ光を発生させない制御を行うように構成されており、第１の走査としての第２回目の走査の際に、レーザ光の第２走査区間のうちの分割された複数の投影領域のうちの一部の投影領域の走査区間においてレーザ光発生部にレーザ光を発生させない制御を行うように構成されているとともに、第２の走査としての第３回目の走査の際に、第１回目の走査の際にレーザ光を発生させなかった走査区間においてレーザ光発生部にレーザ光を発生させ、かつ、レーザ光を発生させなかった走査区間とは異なる走査区間においてレーザ光発生部にレーザ光を発生させない制御を行うように構成されており、第２の走査としての第４回目の走査の際に、第２回目の走査の際にレーザ光を発生させなかった走査区間においてレーザ光発生部にレーザ光を発生させ、かつ、レーザ光を発生させなかった走査区間とは異なる走査区間においてレーザ光発生部にレーザ光を発生させない制御を行うように構成されている。このように構成すれば、第１走査区間と第２走査区間とを１組とする走査が繰り返し行われるインターレース方式において、第１回目の走査の際にレーザ光を発生させなかった第１走査区間の一部の走査区間を、次に第１走査区間が走査される第３回目の走査の際にレーザ光を発生させることにより補うことができる。また、第２回目の走査の際にレーザ光を発生させなかった第２走査区間の一部の走査区間を、次に第２走査区間が走査される第４回目の走査の際にレーザ光を発生させることにより補うことができる。これにより、レーザ光を発生させなかった走査区間が存在することに起因して、投影領域に投影される映像の解像度が低下するのをより抑制することができる。また、第３回目および第４回目の走査の際に、それぞれ、レーザ光を発生させなかった走査区間とは異なる走査区間においてレーザ光発生部にレーザ光を発生させないように構成することによって、レーザ光発生部に継続的にレーザ光を発生させる状態が生じるのを抑制することができるとともに、レーザ光を発生させなかった走査区間とは異なる走査区間においてレーザ光を発している際に発生した熱を外部に放出することができる。
【００２４】
上記一の局面によるプロジェクタにおいて、好ましくは、制御部は、レーザ光発生部に対して供給される電流の大きさに応じて、レーザ光発生部にレーザ光の発生を停止させる走査区間の数を変更させるとともに、レーザ光の発生が停止された走査区間の長さを変更する制御を行うように構成されている。このように構成すれば、レーザ光を発生させることに起因するレーザ光発生部における温度の上昇と、レーザ光を発生させないことに起因する投影領域に投影される映像の解像度の低下との両方を適切に抑制した状態で、映像を投影領域に投影することができる。
【図面の簡単な説明】
【００２５】
【図１】本発明の第１実施形態による携帯型プロジェクタの使用状態を示した図である。
【図２】図１に示した携帯型プロジェクタの構成を示したブロック図である。
【図３】一般的なレーザダイオードにおける電流と光出力との関係を示したグラフである。
【図４】図１に示した携帯型プロジェクタのレーザ光の光学系を示した図である。
【図５】図１に示した携帯型プロジェクタの第１（奇数）回目の走査を示した図である。
【図６】図１に示した携帯型プロジェクタの第２（偶数）回目の走査を示した図である。
【図７】図１に示した携帯型プロジェクタの赤色・青色ＬＤおよび緑色ＬＤに対して供給される電流が大きい状態が所定の期間継続した場合の第１（奇数）回目の走査を示した図である。
【図８】図１に示した携帯型プロジェクタの赤色・青色ＬＤおよび緑色ＬＤに対して供給される電流が大きい状態が所定の期間継続した場合の第２（偶数）回目の走査を示した図である。
【図９】本発明の第１実施形態の変形例による携帯型プロジェクタの第１（奇数）回目の走査を示した図である。
【図１０】図９に示した携帯型プロジェクタの第２回目（偶数）の走査を示した図である。
【図１１】本発明の第２実施形態による携帯型プロジェクタの第１回目および第２回目の走査を示した図である。
【図１２】図１１に示した携帯型プロジェクタの第３回目および第４回目の走査を示した図である。
【発明を実施するための形態】
【００２６】
以下、本発明を具体化した実施形態を図面に基づいて説明する。
【００２７】
（第１実施形態）
図１〜図８を参照して、第１実施形態による携帯型プロジェクタ１の構成を説明する。なお、携帯型プロジェクタ１は、本発明の「プロジェクタ」の一例である。この第１実施形態では、プログレッシブ方式の携帯型プロジェクタ１に本発明を適用した例について説明する。
【００２８】
本発明の第１実施形態による携帯型プロジェクタ１は、図１に示すように、赤色、緑色および青色の３色のレーザ光（ＲＧＢレーザ光）をＸＹ平面からなる投影領域２に投影するように構成されている。その際、ＲＧＢレーザ光が走査されることによって、投影領域２に映像を投影可能なように構成されている。また、携帯型プロジェクタ１は、ＶＧＡ端子１０（図２参照）を介して、パーソナルコンピュータ３と接続されることにより、パーソナルコンピュータ３から入力される映像を投影領域２に投影するように構成されている。また、携帯型プロジェクタ１は、ユーザ４が携帯した状態で使用することが可能なように構成されている。また、携帯型プロジェクタ１は、図示しない電池（バッテリーなど）によって電力を供給するように構成されている。
【００２９】
また、携帯型プロジェクタ１には、図２に示すように、制御部１１と、赤色のレーザ光と青色のレーザ光とそれぞれ発生させることが可能な赤色・青色レーザダイオード（赤色・青色ＬＤ）１２と、緑色のレーザ光を発生させることが可能な緑色レーザダイオード（緑色ＬＤ）１３と、レーザ制御部１４とが設けられている。この制御部１１は、パーソナルコンピュータ３から入力された映像を解析して、ある所定の走査位置における画素情報を走査区間３０（図５参照）に渡って認識するように構成されている。また、制御部１１は、レーザ制御部１４を介して、赤色・青色ＬＤ１２および緑色ＬＤ１３に電流を供給するように構成されているとともに、赤色・青色ＬＤ１２および緑色ＬＤ１３への電流の供給を停止するか否かを判断するように構成されている。また、レーザ制御部１４は、制御部１１において認識された走査区間３０のうちのある所定の走査位置における画素情報に基づいて、赤色・青色ＬＤ１２および緑色ＬＤ１３から発せられる赤色のレーザ光、青色のレーザ光および緑色のレーザ光を所定の階調を有するＲＧＢレーザ光になるように制御するように構成されている。なお、赤色・青色ＬＤ１２および緑色ＬＤ１３は、それぞれ、本発明の「レーザ光発生部」の一例である。
【００３０】
また、赤色・青色ＬＤ１２および緑色ＬＤ１３は、それぞれ、図３のグラフに示すような一般的なレーザダイオードの性質を有する。つまり、赤色・青色ＬＤ１２および緑色ＬＤ１３では、それぞれ、供給される電流が一定値（発光閾値）未満である場合には、自然放出による発光が行われる。一方、赤色・青色ＬＤ１２および緑色ＬＤ１３では、それぞれ、供給される電流が一定値（発光閾値）以上である場合には、誘導放出による発光が行われる。この際、赤色・青色ＬＤ１２および緑色ＬＤ１３では電流の大きさに伴って、光出力が大きいレーザ光が発せられるように構成されている。また、赤色・青色ＬＤ１２および緑色ＬＤ１３は、それぞれ、光出力が大きくなるのに伴って、輝度の大きいレーザ光が発せられるように構成されている。また、第１実施形態においては、制御部１１によって、レーザ光が発せられる際には、赤色・青色ＬＤ１２および緑色ＬＤ１３には一定値（発光閾値）以上の電流が供給されるように構成されているとともに、レーザ光が発せられない際には、赤色・青色ＬＤ１２および緑色ＬＤ１３には電流の供給が停止されるように構成されている。
【００３１】
また、携帯型プロジェクタ１には、図２に示すように、スキャナーミラー１５と、制御部１１によってそれぞれ駆動が制御される水平方向ミラー駆動部１６および垂直方向ミラー駆動部１７とが設けられている。このスキャナーミラー１５は、図４に示すように、振れ角αを有する振動可能な小型の振動ミラー素子である。また、スキャナーミラー１５は、水平方向ミラー駆動部１６（図２参照）によって、投影領域２の水平方向（Ｘ方向）にＲＧＢレーザ光を反射するように振動させられるように構成されている。この際、スキャナーミラー１５は、振れ角αで、かつ、所定の共振周波数で水平方向に振動させられるように構成されている。また、スキャナーミラー１５は、垂直方向ミラー駆動部１７（図２参照）によって、投影領域２の垂直方向（図１のＹ方向）にＲＧＢレーザ光を反射するように構成されている。これにより、スキャナーミラー１５は、ＲＧＢレーザ光を投影領域２のＸＹ平面（図１参照）の走査区間３０（図５参照）で走査可能なように構成されている。また、スキャナーミラー１５は、Ｘ１方向に走査可能であるとともに、Ｘ２方向に走査可能なように構成されている。なお、スキャナーミラー１５は、本発明の「投影部」の一例である。
【００３２】
また、携帯型プロジェクタ１には、図２に示すように、ＲＧＢレーザ光の有する階調を検出する光強度センサ１８が設けられている。この光強度センサ１８は、レーザ制御部１４と接続されており、検出された階調をレーザ制御部１４に出力するように構成されている。また、レーザ制御部１４は、光強度センサ１８から入力された階調を解析して、走査位置における画素情報と比較して正しい階調か否かを判断するとともに、正しい階調でない場合には、正しい階調になるように赤色・青色ＬＤ１２および緑色ＬＤ１３の出力（輝度）を制御するように構成されている。また、携帯型プロジェクタ１には、スキャナーミラー１５の振れ角を検出する位置検出センサ１９と、スキャナーミラー１５が一定の振れ角αで振動するように走査の状況を検出して制御部１１に出力する位置検出部２０とがさらに設けられている。
【００３３】
また、携帯型プロジェクタ１の光学系では、図４に示すように、赤色・青色ＬＤ１２が発する赤色のレーザ光および青色のレーザ光と緑色ＬＤ１３が発する緑色のレーザ光とが、略直角に交差するように赤色・青色ＬＤ１２および緑色ＬＤ１３が配置されている。また、赤色のレーザ光および青色のレーザ光と緑色のレーザ光とが直角に交差する位置にハーフミラー２１が配置されている。また、赤色・青色ＬＤ１２から発せられる赤色のレーザ光および青色のレーザ光の一部がハーフミラー２１において反射される方向で、かつ、緑色ＬＤ１３から発せられる緑色のレーザ光の一部がハーフミラー２１を透過する方向にレンズ２２が配置されている。このレンズ２２は、赤色のレーザ光、青色のレーザ光および緑色のレーザ光の光軸を揃えて所定の階調を有するＲＧＢレーザ光にする機能を有する。また、赤色・青色ＬＤ１２から発せられる赤色のレーザ光および青色のレーザ光の一部がハーフミラー２１を透過する方向で、かつ、緑色ＬＤ１３から発せられる緑色のレーザ光の一部がハーフミラー２１において反射される方向に光強度センサ１８が配置されている。
【００３４】
また、レンズ２２において光軸が揃えられたＲＧＢレーザ光は、スキャナーミラー１５により反射されることによって投影領域２に向けて走査されるように構成されている。また、スキャナーミラー１５においてＲＧＢレーザ光が反射された方向には、ハーフミラー２３が配置されている。このハーフミラー２３は、ＲＧＢレーザ光の一部を走査区間３０（図５参照）を確認するための走査区間確認部２４と、位置検出センサ１９とに向かって反射させるように構成されている。また、位置検出センサ１９は、走査区間確認部２４の端部に位置するように配置されている。この位置検出センサ１９は、スキャナーミラー１５が振れ角α未満で振動させられることによってＲＧＢレーザ光が走査区間確認部２４内のみで走査されて位置検出センサ１９にＲＧＢレーザ光が入力されない場合に、スキャナーミラー１５がＲＧＢレーザ光を十分に走査させていないという内容の情報を検出して位置検出部２０に出力するように構成されている。また、ハーフミラー２３は、ＲＧＢレーザ光の一部を投影領域２の方向に透過するように構成されている。
【００３５】
また、ＲＧＢレーザ光の一部がハーフミラー２３を透過する方向にスリット２５が配置されている。このスリット２５は、ハーフミラー２３を透過したＲＧＢレーザ光のうち、Ｘ１方向の端部近傍の走査位置（図５参照）に対応するＲＧＢレーザ光およびＸ２方向の端部近傍の走査位置（図５参照）に対応するＲＧＢレーザ光を投影領域２に投影させないために設けられている。なお、スキャナーミラー１５の振れ角がαである際に、ＲＧＢレーザ光は、Ｘ１方向の端部の走査位置またはＸ２方向の端部の走査位置に反射されるように構成されている。ここで、Ｘ１方向の端部近傍の走査位置またはＸ２方向の端部近傍の走査位置にＲＧＢレーザ光を反射する際のスキャナーミラー１５の角速度は、両端部近傍以外の走査位置にＲＧＢレーザ光を反射する際のスキャナーミラー１５の略一定の角速度と比べて小さい。これにより、スリット２５を用いてＸ１方向の端部近傍の走査位置およびＸ２方向の端部近傍の走査位置を投影領域２に投影させないように構成することによって、角速度の違いに起因する投影領域２の映像の乱れを抑制することが可能である。
【００３６】
また、スリット２５は、走査区間確認部２４に投影される映像と投影領域２に投影される映像とが略同一になるように構成されている。これにより、走査区間確認部２４および位置検出センサ１９によって検出される情報を投影領域２への映像の投影に反映させることが可能である。
【００３７】
また、第１実施形態では、図５に示すように、スキャナーミラー１５（図４参照）は、ＲＧＢレーザ光を投影領域２のＸＹ平面に対応するように、走査区間３０で走査させるように構成されている。この走査区間３０は、Ｘ１側からＸ２側に向かう往路３１ａとＸ２側からＸ１側に向かう復路３１ｂとから構成される往復走査区間３１がＹ１方向に沿って繰り返しつなげられることによって構成されている。また、スキャナーミラー１５は、所定の共振周波数に基づいて振動させられるとともに、ＲＧＢレーザ光の走査区間３０を繰り返し走査させることによって、１フレームの映像を投影領域２に投影させるように構成されている。すなわち、携帯型プロジェクタ１では、プログレッシブ方式を用いて、スキャナーミラー１５によってＲＧＢレーザ光を投影領域２に対応するように走査区間３０を走査させるように構成されている。
【００３８】
ここで、第１実施形態では、走査区間３０において、投影領域２の仮想上の中央線Ａの位置でレーザ光投影区間４０ａとレーザ光停止区間４０ｂとが切り替わるように予め設定された内容で制御部１１によって制御されるように構成されている。なお、レーザ光停止区間４０ｂは、本発明の「予め設定された一部の走査区間」の一例である。
【００３９】
具体的には、第１回目の走査の際に、制御部１１（図２参照）によって、往路３１ａのＸ１側の端部から中央線Ａまでの走査区間３０において、赤色・青色ＬＤ１２（図２参照）および緑色ＬＤ１３（図２参照）にそれぞれ電流が供給されることによって、赤色・青色ＬＤ１２および緑色ＬＤ１３にそれぞれ赤色のレーザ光、青色のレーザ光および緑色のレーザ光を発生させるように構成されている。これにより、往路３１ａのＸ１側の端部から中央線Ａまでの走査区間３０は、ＲＧＢレーザ光が投影されることによって、レーザ光投影区間４０ａ（実線で示す）になるように構成されている。一方、制御部１１によって、往路３１ａの中央線ＡからＸ２側の端部までの走査区間３０において、赤色・青色ＬＤ１２および緑色ＬＤ１３にそれぞれ電流の供給が停止されることによって、赤色・青色ＬＤ１２および緑色ＬＤ１３にそれぞれ赤色のレーザ光、青色のレーザ光および緑色のレーザ光を発生させないように構成されている。これにより、往路３１ａの中央線ＡからＸ２側の端部までの走査区間３０は、ＲＧＢレーザ光が投影されないことによって、レーザ光停止区間４０ｂ（破線で示す）になるように構成されている。
【００４０】
また、第１回目の走査の際に、制御部１１によって、復路３１ｂのＸ２側の端部から中央線Ａまでの走査区間３０において、赤色・青色ＬＤ１２および緑色ＬＤ１３にそれぞれ電流が供給されることによって、赤色・青色ＬＤ１２および緑色ＬＤ１３にそれぞれ赤色のレーザ光、青色のレーザ光および緑色のレーザ光を発生させるように構成されている。これにより、復路３１ｂのＸ２側の端部から中央線Ａまでの走査区間３０は、ＲＧＢレーザ光が投影されることによって、レーザ光投影区間４０ａ（実線で示す）になるように構成されている。一方、制御部１１によって、復路３１ｂの中央線ＡからＸ１側の端部までの走査区間３０において、赤色・青色ＬＤ１２および緑色ＬＤ１３にそれぞれ電流の供給が停止されることによって、赤色・青色ＬＤ１２および緑色ＬＤ１３にそれぞれ赤色のレーザ光、青色のレーザ光および緑色のレーザ光を発生させないように構成されている。これにより、復路３１ｂの中央線ＡからＸ１側の端部までの走査区間３０は、ＲＧＢレーザ光が投影されないことによって、レーザ光停止区間４０ｂ（破線で示す）になるように構成されている。なお、第１回目の走査は、本発明の「第１の走査」の一例である。
【００４１】
また、往路３１ａのＸ１側の端部から中央線Ａまでの走査区間３０の長さ（復路３１ｂの中央線ＡからＸ１側の端部までの走査区間３０の長さ）Ｌ１は、往路３１ａの中央線ＡからＸ２側の端部までの走査区間３０の長さ（復路３１ｂのＸ２側の端部から中央線Ａまでの走査区間３０の長さ）Ｌ２と同じ長さである。また、長さＬ１とＬ２とは、それぞれ、往路３１ａの長さの略半分であるとともに、復路３１ｂの長さの略半分であるように構成されている。
【００４２】
また、第１実施形態では、図６に示すように、第２回目の走査の際に、制御部１１（図２参照）によって、往路３１ａのＸ１側の端部から中央線Ａまでの走査区間３０において、赤色・青色ＬＤ１２（図２参照）および緑色ＬＤ１３（図２参照）にそれぞれ電流の供給が停止されることによって、赤色・青色ＬＤ１２および緑色ＬＤ１３にそれぞれ赤色のレーザ光、青色のレーザ光および緑色のレーザ光を発生させないように構成されている。これにより、往路３１ａのＸ１側の端部から中央線Ａまでの走査区間３０は、ＲＧＢレーザ光が投影されないことによって、レーザ光停止区間４０ｂになるように構成されている。一方、制御部１１によって、往路３１ａの中央線ＡからＸ２側の端部までの走査区間３０において、赤色・青色ＬＤ１２および緑色ＬＤ１３にそれぞれ電流が供給されることによって、赤色・青色ＬＤ１２および緑色ＬＤ１３にそれぞれ赤色のレーザ光、青色のレーザ光および緑色のレーザ光を発生させるように構成されている。これにより、往路３１ａの中央線ＡからＸ２側の端部までの走査区間３０は、ＲＧＢレーザ光が投影されることによって、レーザ光投影区間４０ａになるように構成されている。
【００４３】
また、第２回目の走査の際に、制御部１１によって、復路３１ｂのＸ２側の端部から中央線Ａまでの走査区間３０において、赤色・青色ＬＤ１２および緑色ＬＤ１３にそれぞれ電流の供給が停止されることによって、赤色・青色ＬＤ１２および緑色ＬＤ１３にそれぞれ赤色のレーザ光、青色のレーザ光および緑色のレーザ光を発生させないように構成されている。これにより、復路３１ｂのＸ２側の端部から中央線Ａまでの走査区間３０は、ＲＧＢレーザ光が投影されないことによって、レーザ光停止区間４０ｂになるように構成されている。一方、制御部１１によって、復路３１ｂの中央線ＡからＸ１側の端部までの走査区間３０において、赤色・青色ＬＤ１２および緑色ＬＤ１３にそれぞれ電流が供給されることによって、赤色・青色ＬＤ１２および緑色ＬＤ１３にそれぞれ赤色のレーザ光、青色のレーザ光および緑色のレーザ光を発生させるように構成されている。これにより、復路３１ｂの中央線ＡからＸ１側の端部までの走査区間３０は、ＲＧＢレーザ光が投影されることによって、レーザ光投影区間４０ａになるように構成されている。なお、第２回目の走査は、本発明の「第２の走査」の一例である。
【００４４】
また、制御部１１によって、第３回目の走査の際には、図５に示す第１回目の走査と同様の走査が行われるとともに、第４回目の走査の際には、図６に示す第２回目の走査と同様の走査が行われるように構成されている。すなわち、制御部１１によって、上述の奇数回目の走査と偶数回目の走査とが繰り返されるように構成されている。
【００４５】
また、赤色・青色ＬＤ１２（図２参照）および緑色ＬＤ１３（図２参照）に対して供給される電流が所定の電流値より大きい状態が所定の期間継続した場合に、走査区間３０において、図５および図６に示す中央線Ａでレーザ光投影区間４０ａとレーザ光停止区間４０ｂとが切り替わるように制御部１１（図２参照）によって制御されていた状態から、図７および図８に示すように、中央線Ａの位置と仮想上の線Ｂの位置と仮想上の線Ｃの位置とで、それぞれ、レーザ光投影区間５０ａとレーザ光停止区間５０ｂとが切り替わるように予め設定された内容で制御部１１によって制御されるように構成されている。この仮想上の線Ｂは、Ｘ１側の端部と中央線Ａとの略中間に位置するとともに、仮想上の線Ｃは、中央線ＡとＸ２側の端部との略中間に位置する。すなわち、赤色・青色ＬＤ１２および緑色ＬＤ１３に対して供給される電流が所定の電流値より大きい状態が所定の期間継続した場合に、制御部１１によって、電流の供給が停止される走査区間３０（レーザ光停止区間５０ｂ）の数が２倍に増加されるとともに、レーザ光停止区間５０ｂのそれぞれの長さが略半分にされるように構成されている。なお、レーザ光停止区間５０ｂは、本発明の「予め設定された一部の走査区間」の一例である。
【００４６】
具体的には、図７に示すように、第１回目の走査の際に、制御部１１（図２参照）によって、往路３１ａのＸ１側の端部から線Ｂまでの走査区間３０と中央線Ａから線Ｃまでの走査区間３０とにおいて、赤色・青色ＬＤ１２（図２参照）および緑色ＬＤ１３（図２参照）にそれぞれ赤色のレーザ光、青色のレーザ光および緑色のレーザ光を発生させるように構成されている。これにより、往路３１ａのＸ１側の端部から線Ｂまでの走査区間３０と中央線Ａから線Ｃまでの走査区間３０とは、それぞれ、ＲＧＢレーザ光が投影されることによって、レーザ光投影区間５０ａ（実線で示す）になるように構成されている。一方、制御部１１によって、往路３１ａの線Ｂから中央線Ａまでの走査区間３０と線ＣからＸ２側の端部までの走査区間３０とにおいて、赤色・青色ＬＤ１２および緑色ＬＤ１３にそれぞれ赤色のレーザ光、青色のレーザ光および緑色のレーザ光を発生させないように構成されている。これにより、往路３１ａの線Ｂから中央線Ａまでの走査区間３０と線ＣからＸ２側の端部までの走査区間３０とは、それぞれ、ＲＧＢレーザ光が投影されないことによって、レーザ光停止区間５０ｂ（点線で示す）になるように構成されている。
【００４７】
また、第１回目の走査の際に、制御部１１によって、復路３１ｂのＸ２側の端部から線Ｃまでの走査区間３０と中央線Ａから線Ｂまでの走査区間３０とにおいて、赤色・青色ＬＤ１２および緑色ＬＤ１３にそれぞれ赤色のレーザ光、青色のレーザ光および緑色のレーザ光を発生させるように構成されている。これにより、復路３１ｂのＸ２側の端部から線Ｃまでの走査区間３０と中央線Ａから線Ｂまでの走査区間３０とは、それぞれ、ＲＧＢレーザ光が投影されることによって、レーザ光投影区間５０ａ（実線で示す）になるように構成されている。一方、制御部１１によって、復路３１ｂの線Ｃから中央線Ａまでの走査区間３０と線ＢからＸ１側の端部までの走査区間３０とにおいて、赤色・青色ＬＤ１２および緑色ＬＤ１３にそれぞれ赤色のレーザ光、青色のレーザ光および緑色のレーザ光を発生させないように構成されている。これにより、復路３１ｂの線Ｃから中央線Ａまでの走査区間３０と線ＢからＸ１側の端部までの走査区間３０とは、それぞれ、ＲＧＢレーザ光が投影されないことによって、レーザ光停止区間５０ｂ（点線で示す）になるように構成されている。
【００４８】
また、往路３１ａのＸ１側の端部から線Ｂまでの走査区間３０の長さ（復路３１ｂの線ＢからＸ１側の端部までの走査区間３０の長さ）Ｌ３と、往路３１ａの線Ｂから中央線Ａまでの走査区間３０の長さ（復路３１ｂの中央線Ａから線Ｂまでの走査区間３０の長さ）Ｌ４と、往路３１ａの中央線Ａから線Ｃまでの走査区間３０の長さ（復路３１ｂの線Ｃから中央線Ａまでの走査区間３０の長さ）Ｌ５と、往路３１ａの線ＣからＸ２側の端部までの走査区間３０の長さ（復路３１ｂのＸ２側の端部から線Ｃまでの走査区間３０の長さ）Ｌ６とは、互いに略同一であるように構成されている。
【００４９】
また、図８に示すように、第２回目の走査の際に、制御部１１（図２参照）によって、往路３１ａのＸ１側の端部から線Ｂまでの走査区間３０と中央線Ａから線Ｃまでの走査区間３０とにおいて、赤色・青色ＬＤ１２（図２参照）および緑色ＬＤ１３（図２参照）にそれぞれ赤色のレーザ光、青色のレーザ光および緑色のレーザ光を発生させないように構成されている。これにより、往路３１ａのＸ１側の端部から線Ｂまでの走査区間３０と中央線Ａから線Ｃまでの走査区間３０とは、それぞれ、ＲＧＢレーザ光が投影されないことによって、レーザ光停止区間５０ｂになるように構成されている。一方、制御部１１によって、往路３１ａの線Ｂから中央線Ａまでの走査区間３０と線ＣからＸ２側の端部までの走査区間３０とにおいて、赤色・青色ＬＤ１２および緑色ＬＤ１３にそれぞれ赤色のレーザ光、青色のレーザ光および緑色のレーザ光を発生させるように構成されている。これにより、往路３１ａの線Ｂから中央線Ａまでの走査区間３０と線ＣからＸ２側の端部までの走査区間３０とは、それぞれ、ＲＧＢレーザ光が投影されることによって、レーザ光投影区間５０ａになるように構成されている。
【００５０】
また、第２回目の走査の際に、制御部１１によって、復路３１ｂのＸ２側の端部から線Ｃまでの走査区間３０と中央線Ａから線Ｂまでの走査区間３０とにおいて、赤色・青色ＬＤ１２および緑色ＬＤ１３にそれぞれ赤色のレーザ光、青色のレーザ光および緑色のレーザ光を発生させないように構成されている。これにより、復路３１ｂのＸ２側の端部から線Ｃまでの走査区間３０と中央線Ａから線Ｂまでの走査区間３０とは、それぞれ、ＲＧＢレーザ光が投影されないことによって、レーザ光停止区間５０ｂになるように構成されている。一方、制御部１１によって、復路３１ｂの線Ｃから中央線Ａまでの走査区間３０と線ＢからＸ１側の端部までの走査区間３０とにおいて、赤色・青色ＬＤ１２および緑色ＬＤ１３にそれぞれ赤色のレーザ光、青色のレーザ光および緑色のレーザ光を発生させるように構成されている。これにより、復路３１ｂの線Ｃから中央線Ａまでの走査区間３０と線ＢからＸ１側の端部までの走査区間３０とは、それぞれ、ＲＧＢレーザ光が投影されることによって、レーザ光投影区間５０ａになるように構成されている。
【００５１】
また、制御部１１によって、第３回目の走査の際には、図７に示す第１回目の走査と同様の走査が行われるとともに、第４回目の走査の際には、図８に示す第２回目の走査と同様の走査が行われるように構成されている。すなわち、制御部１１によって、上述の奇数回目の走査と偶数回目の走査とが繰り返されるように構成されている。
【００５２】
第１実施形態では、上記のように、第１回目の走査の際に、制御部１１によって、往路３１ａの中央線ＡからＸ２側の端部までの走査区間３０と復路３１ｂの中央線ＡからＸ１側の端部までの走査区間３０とのレーザ光停止区間４０ｂにおいて、赤色・青色ＬＤ１２および緑色ＬＤ１３にそれぞれ電流の供給が停止されることによって、赤色・青色ＬＤ１２および緑色ＬＤ１３にそれぞれ赤色のレーザ光、青色のレーザ光および緑色のレーザ光を発生させないように構成することによって、レーザ光停止区間４０ｂにおいて赤色・青色ＬＤ１２および緑色ＬＤ１３にそれぞれレーザ光を発生させないように予め設定されているので、赤色・青色ＬＤ１２および緑色ＬＤ１３においてそれぞれ継続的にレーザ光を発生させる状態が生じるのを確実に抑制することができる。また、往路３１ａの中央線ＡからＸ２側の端部までの走査区間３０と復路３１ｂの中央線ＡからＸ１側の端部までの走査区間３０との両方のレーザ光停止区間４０ｂにおいて、赤色・青色ＬＤ１２および緑色ＬＤ１３はそれぞれレーザ光を発している際に発生した熱を外部に放出することができるので、赤色・青色ＬＤ１２および緑色ＬＤ１３における温度の上昇をより抑制することができる。これらにより、温度の上昇に起因して赤色・青色ＬＤ１２および緑色ＬＤ１３の発光効率（電流に対する光出力）が低下するのをより抑制することができる。また、レーザ光停止区間４０ｂにおいて赤色・青色ＬＤ１２および緑色ＬＤ１３に発光閾値以上の電流をそれぞれ流し続ける必要がないので、消費電力をより小さくすることができる。
【００５３】
また、第１実施形態では、上記のように、往路３１ａのＸ１側の端部から中央線Ａまでの走査区間３０の長さ（復路３１ｂの中央線ＡからＸ１側の端部までの走査区間３０の長さ）Ｌ１と、往路３１ａの中央線ＡからＸ２側の端部までの走査区間３０の長さ（復路３１ｂのＸ２側の端部から中央線Ａまでの走査区間３０の長さ）Ｌ２とを、それぞれ、往路３１ａの長さの略半分であるとともに、復路３１ｂの長さの略半分であるように構成することによって、赤色・青色ＬＤ１２および緑色ＬＤ１３においてそれぞれ継続的にレーザ光を発生させる状態が生じるのを抑制することができる。また、往路３１ａの長さの略半分である往路３１ａのＸ１側の端部から中央線Ａまでの走査区間３０または往路３１ａの中央線ＡからＸ２側の端部までの走査区間３０のいずれか一方と、復路３１ｂの中央線ＡからＸ１側の端部までの走査区間３０または復路３１ｂのＸ２側の端部から中央線Ａまでの走査区間３０のいずれか一方との両方のレーザ光停止区間４０ｂにおいて、赤色・青色ＬＤ１２および緑色ＬＤ１３にレーザ光を発させないことによって、赤色・青色ＬＤ１２および緑色ＬＤ１３はそれぞれ熱を外部に放出することができるので、赤色・青色ＬＤ１２および緑色ＬＤ１３における温度の上昇を効果的に抑制することができる。
【００５４】
また、第１実施形態では、上記のように、携帯型プロジェクタ１をユーザ４によって携帯されることが可能な小型のプロジェクタであるように構成することによって、携帯型プロジェクタ１の消費電力が低減される分、ユーザ４が携帯型プロジェクタ１を長時間使用することができる。
【００５５】
また、第１実施形態では、上記のように、第１回目の走査の際に、制御部１１によって、往路３１ａの中央線ＡからＸ２側の端部までの走査区間３０と復路３１ｂの中央線ＡからＸ１側の端部までの走査区間３０とのレーザ光停止区間４０ｂ（図５参照）において、赤色・青色ＬＤ１２および緑色ＬＤ１３にそれぞれ電流の供給が停止されることによって、赤色・青色ＬＤ１２および緑色ＬＤ１３にそれぞれ赤色のレーザ光、青色のレーザ光および緑色のレーザ光を発生させないとともに、第２回目の走査の際に、往路３１ａの中央線ＡからＸ２側の端部までの走査区間３０と復路３１ｂの中央線ＡからＸ１側の端部までの走査区間３０とのレーザ光投影区間４０ａ（図６参照）において、赤色・青色ＬＤ１２および緑色ＬＤ１３にそれぞれ電流が供給されることによって、赤色・青色ＬＤ１２および緑色ＬＤ１３にそれぞれ赤色のレーザ光、青色のレーザ光および緑色のレーザ光を発生させるように構成することによって、第１回目の走査の際にレーザ光を発生させなかった往路３１ａの中央線ＡからＸ２側の端部までの走査区間３０と復路３１ｂの中央線ＡからＸ１側の端部までの走査区間３０とを、次の第２回目の走査の際にレーザ光を発生させることにより補うことができる。これにより、レーザ光を発生させなかった往路３１ａの中央線ＡからＸ２側の端部までの走査区間３０と復路３１ｂの中央線ＡからＸ１側の端部までの走査区間３０とのレーザ光停止区間４０ｂ（図５参照）が存在することに起因して、投影領域２に投影される映像の解像度が低下するのをより確実に抑制することができる。
【００５６】
また、第１実施形態では、上記のように、第２回目の走査の際に、制御部１１によって、往路３１ａのＸ１側の端部から中央線Ａまでの走査区間３０と復路３１ｂのＸ２側の端部から中央線Ａまでの走査区間３０とのレーザ光停止区間４０ｂにおいて、赤色・青色ＬＤ１２および緑色ＬＤ１３にそれぞれ電流の供給が停止されることにより、赤色・青色ＬＤ１２および緑色ＬＤ１３にそれぞれ赤色のレーザ光、青色のレーザ光および緑色のレーザ光を発生させないように構成することによって、赤色・青色ＬＤ１２および緑色ＬＤ１３に継続的にレーザ光を発生させる状態が生じるのを抑制することができるとともに、レーザ光停止区間４０ｂにおいてレーザ光を発している際に発生した熱を外部に放出することができる。
【００５７】
また、第１実施形態では、上記のように、赤色・青色ＬＤ１２および緑色ＬＤ１３に対して供給される電流が所定の電流値より大きい状態が所定の期間継続した場合に、制御部１１によって、レーザ光停止区間５０ｂの数が２倍に増加されるとともに、レーザ光停止区間５０ｂのそれぞれの長さが略半分にされるように構成することによって、赤色・青色ＬＤ１２および緑色ＬＤ１３に対してそれぞれ供給される電流が所定の電流値より大きい状態が所定の期間継続することに起因して赤色・青色ＬＤ１２および緑色ＬＤ１３における温度が上昇しやすい場合に、赤色・青色ＬＤ１２および緑色ＬＤ１３に対する電流の供給を停止する走査区間３０（レーザ光停止区間５０ｂ）の数を増加させることによって、赤色・青色ＬＤ１２および緑色ＬＤ１３においてそれぞれ継続的にレーザ光を発生させる状態が生じるのをさらに抑制することができる。これにより、赤色・青色ＬＤ１２および緑色ＬＤ１３における温度の上昇をさらに抑制することができる。また、レーザ光停止区間５０ｂの長さをそれぞれ略半分にすることによって、赤色・青色ＬＤ１２および緑色ＬＤ１３に対する電流の供給を停止する走査区間３０（レーザ光停止区間５０ｂ）の数を増加させたとしても、レーザ光が投影される走査区間３０（レーザ光投影区間５０ａ）の総延長が減少するのを抑制することができるので、投影領域２に投影される映像の解像度が低下するのを抑制することができる。これらの結果、レーザ光を発生させることに起因する赤色・青色ＬＤ１２および緑色ＬＤ１３における温度の上昇と、レーザ光を発生させないことに起因する投影領域２に投影される映像の解像度の低下との両方を適切に抑制した状態で、映像を投影領域２に投影することができる。
【００５８】
（第１実施形態の変形例）
次に、図２、図９および図１０を参照して、第１実施形態の変形例について説明する。この第１実施形態の変形例による携帯型プロジェクタ１００では、上記第１実施形態と異なり、往路３１ａと復路３１ｂとにおいてレーザ光投影区間１６０ａとレーザ光停止区間１６０ｂとが切り替わるように制御部１１によって制御される場合について説明する。
【００５９】
本発明の第１実施形態の変形例による携帯型プロジェクタ１００は、図９に示すように、往路３１ａと復路３１ｂとにおいてレーザ光投影区間１６０ａとレーザ光停止区間１６０ｂとが切り替わるように予め設定された内容で制御部１１（図２参照）によって制御されるように構成されている。なお、携帯型プロジェクタ１００は、本発明の「プロジェクタ」の一例であり、レーザ光停止区間１６０ｂは、本発明の「予め設定された一部の走査区間」の一例である。
【００６０】
具体的には、第１（奇数）回目の走査の際に、制御部１１によって、往路３１ａからなる走査区間３０において、赤色・青色ＬＤ１２（図２参照）および緑色ＬＤ１３（図２参照）にそれぞれ赤色のレーザ光、青色のレーザ光および緑色のレーザ光を発生させるように構成されている。これにより、往路３１ａからなる走査区間３０は、ＲＧＢレーザ光が投影されることによって、レーザ光投影区間１６０ａになるように構成されている。一方、制御部１１によって、復路３１ｂからなる走査区間３０において、赤色・青色ＬＤ１２および緑色ＬＤ１３にそれぞれ赤色のレーザ光、青色のレーザ光および緑色のレーザ光を発生させないように構成されている。これにより、復路３１ｂからなる走査区間３０は、ＲＧＢレーザ光が投影されないことによって、レーザ光停止区間１６０ｂになるように構成されている。
【００６１】
また、図１０に示すように、第２（偶数）回目の走査の際に、制御部１１によって、往路３１ａからなる走査区間３０において、赤色・青色ＬＤ１２および緑色ＬＤ１３にそれぞれ赤色のレーザ光、青色のレーザ光および緑色のレーザ光を発生させないように構成されている。これにより、往路３１ａからなる走査区間３０は、ＲＧＢレーザ光が投影されないことによって、レーザ光停止区間１６０ｂになるように構成されている。一方、制御部１１によって、復路３１ｂからなる走査区間３０において、赤色・青色ＬＤ１２および緑色ＬＤ１３にそれぞれ赤色のレーザ光、青色のレーザ光および緑色のレーザ光を発生させるように構成されている。これにより、復路３１ｂからなる走査区間３０は、ＲＧＢレーザ光が投影されることによって、レーザ光投影区間１６０ａになるように構成されている。なお、第１実施形態の変形例のその他の構成および効果は、上記第１実施形態と同様である。
【００６２】
（第２実施形態）
次に、図２、図１１および図１２を参照して、第２実施形態について説明する。この第２実施形態による携帯型プロジェクタ２００では、上記第１実施形態と異なり、インターレース方式を用いて、スキャナーミラー１５によってＲＧＢレーザ光を投影領域２に対応するように第１走査区間２７０および第２走査区間２８０を走査させる場合について説明する。
【００６３】
本発明の第２実施形態による携帯型プロジェクタ２００では、図１１に示すように、スキャナーミラー１５（図２参照）は、ＲＧＢレーザ光を投影領域２のＸＹ平面に対応するように、投影領域２のうちの所定の領域に対応する第１走査区間２７０と、投影領域２のうちの第１走査区間２７０とは異なる領域に対応する第２走査区間２８０とで走査させるように構成されている。また、スキャナーミラー１５は、第１走査区間２７０の走査と第２走査区間２８０の走査との２回の走査を１組とする走査を繰り返し行うとともに、第１走査区間２７０の走査と第２走査区間２８０の走査とを交互に行うことによって、映像を投影領域２に投影するように構成されている。なお、携帯型プロジェクタ２００は、本発明の「プロジェクタ」の一例である。
【００６４】
また、第１走査区間２７０は、Ｘ１側からＸ２側に向かう第１往路２７１ａとＸ２側からＸ１側に向かう第１復路２７１ｂとから構成される第１往復走査区間２７１がＹ１方向に沿って繰り返しつなげられることによって構成されている。また、第２走査区間２８０は、Ｘ１側からＸ２側に向かう第２往路２８１ａとＸ２側からＸ１側に向かう第２復路２８１ｂとから構成される第２往復走査区間２８１がＹ１方向に沿って繰り返しつなげられることによって構成されている。また、第２往路２８１ａおよび第２復路２８１ｂは、それぞれ、第１往路２７１ａと第１復路２７１ｂとのＹ方向の間に位置するように構成されている。また、スキャナーミラー１５は、所定の共振周波数に基づいて振動させられるとともに、ＲＧＢレーザ光を所定の時間間隔で４回走査させることによって、１フレームの映像を投影領域２に投影させるように構成されている。すなわち、携帯型プロジェクタ２００では、インターレース方式を用いて、スキャナーミラー１５によってＲＧＢレーザ光を投影領域２に対応するように第１走査区間２７０と第２走査区間２８０とを走査させるように構成されている。なお、第１往復走査区間２７１および第２往復走査区間２８１は、それぞれ、本発明の「往復走査区間」の一例である。また、第１往路２７１ａおよび第２往路２８１ａは、それぞれ、本発明の「往路」の一例であり、第１復路２７１ｂおよび第２復路２８１ｂは、それぞれ、本発明の「復路」の一例である。
【００６５】
ここで、第２実施形態では、第１走査区間２７０および第２走査区間２８０において、中央線Ａでレーザ光投影区間２４０ａとレーザ光停止区間２４０ｂとが切り替わるように予め設定された内容で制御部１１（図２参照）によって制御されるように構成されている。なお、レーザ光停止区間２４０ｂは、本発明の「予め設定された一部の走査区間」の一例である。
【００６６】
具体的には、第１回目の走査の際に、制御部１１によって、第１往路２７１ａのＸ１側の端部から中央線Ａまでの第１走査区間２７０において、赤色・青色ＬＤ１２および緑色ＬＤ１３にそれぞれ赤色のレーザ光、青色のレーザ光および緑色のレーザ光を発生させるように構成されている。これにより、第１往路２７１ａのＸ１側の端部から中央線Ａまでの第１走査区間２７０は、ＲＧＢレーザ光が投影されることによって、レーザ光投影区間２４０ａになるように構成されている。一方、制御部１１によって、第１往路２７１ａの中央線ＡからＸ２側の端部までの第１走査区間２７０において、赤色・青色ＬＤ１２および緑色ＬＤ１３にそれぞれ赤色のレーザ光、青色のレーザ光および緑色のレーザ光を発生させないように構成されている。これにより、第１往路２７１ａの中央線ＡからＸ２側の端部までの第１走査区間２７０は、ＲＧＢレーザ光が投影されないことによって、レーザ光停止区間２４０ｂになるように構成されている。なお、第１回目の走査は、本発明の「第１の走査」の一例である。
【００６７】
また、第１回目の走査の際に、制御部１１によって、第１復路２７１ｂのＸ２側の端部から中央線Ａまでの第１走査区間２７０において、赤色・青色ＬＤ１２および緑色ＬＤ１３にそれぞれ赤色のレーザ光、青色のレーザ光および緑色のレーザ光を発生させるように構成されている。これにより、第１復路２７１ｂのＸ２側の端部から中央線Ａまでの第１走査区間２７０は、ＲＧＢレーザ光が投影されることによって、レーザ光投影区間２４０ａになるように構成されている。一方、制御部１１によって、第１復路２７１ｂの中央線ＡからＸ１側の端部までの第１走査区間２７０において、赤色・青色ＬＤ１２および緑色ＬＤ１３にそれぞれ赤色のレーザ光、青色のレーザ光および緑色のレーザ光を発生させないように構成されている。これにより、第１復路２７１ｂの中央線ＡからＸ１側の端部までの第１走査区間２７０は、ＲＧＢレーザ光が投影されないことによって、レーザ光停止区間２４０ｂになるように構成されている。
【００６８】
また、第２実施形態では、図１１に示すように、第２回目の走査の際に、制御部１１（図２参照）によって、第２往路２８１ａのＸ１側の端部から中央線Ａまでの第２走査区間２８０において、赤色・青色ＬＤ１２（図２参照）および緑色ＬＤ１３（図２参照）にそれぞれ赤色のレーザ光、青色のレーザ光および緑色のレーザ光を発生させるように構成されている。これにより、第２往路２８１ａのＸ１側の端部から中央線Ａまでの第２走査区間２８０は、ＲＧＢレーザ光が投影されることによって、レーザ光投影区間２４０ａになるように構成されている。一方、制御部１１によって、第２往路２８１ａの中央線ＡからＸ２側の端部までの第２走査区間２８０において、赤色・青色ＬＤ１２および緑色ＬＤ１３にそれぞれ赤色のレーザ光、青色のレーザ光および緑色のレーザ光を発生させないように構成されている。これにより、第２往路２８１ａの中央線ＡからＸ２側の端部までの第２走査区間２８０は、ＲＧＢレーザ光が投影されないことによって、レーザ光停止区間２４０ｂになるように構成されている。
【００６９】
また、第２回目の走査の際に、制御部１１によって、第２復路２８１ｂのＸ２側の端部から中央線Ａまでの第２走査区間２８０において、赤色・青色ＬＤ１２および緑色ＬＤ１３にそれぞれ赤色のレーザ光、青色のレーザ光および緑色のレーザ光を発生させるように構成されている。これにより、第２復路２８１ｂのＸ２側の端部から中央線Ａまでの第２走査区間２８０は、ＲＧＢレーザ光が投影されることによって、レーザ光投影区間２４０ａになるように構成されている。一方、制御部１１によって、第２復路２８１ｂの中央線ＡからＸ１側の端部までの第２走査区間２８０において、赤色・青色ＬＤ１２および緑色ＬＤ１３にそれぞれ赤色のレーザ光、青色のレーザ光および緑色のレーザ光を発生させないように構成されている。これにより、第２復路２８１ｂの中央線ＡからＸ１側の端部までの第２走査区間２８０は、ＲＧＢレーザ光が投影されないことによって、レーザ光停止区間２４０ｂになるように構成されている。なお、第２回目の走査は、本発明の「第１の走査」の一例である。
【００７０】
また、第２実施形態では、図１２に示すように、第３回目の走査の際に、制御部１１（図２参照）によって、第１往路２７１ａのＸ１側の端部から中央線Ａまでの第１走査区間２７０において、赤色・青色ＬＤ１２（図２参照）および緑色ＬＤ１３（図２参照）にそれぞれ赤色のレーザ光、青色のレーザ光および緑色のレーザ光を発生させないように構成されている。これにより、第１往路２７１ａのＸ１側の端部から中央線Ａまでの第１走査区間２７０は、ＲＧＢレーザ光が投影されないことによって、レーザ光停止区間２４０ｂになるように構成されている。一方、制御部１１によって、第１往路２７１ａの中央線ＡからＸ２側の端部までの第１走査区間２７０において、赤色・青色ＬＤ１２および緑色ＬＤ１３にそれぞれ赤色のレーザ光、青色のレーザ光および緑色のレーザ光を発生させるように構成されている。これにより、第１往路２７１ａの中央線ＡからＸ２側の端部までの第１走査区間２７０は、ＲＧＢレーザ光が投影されることによって、レーザ光投影区間２４０ａになるように構成されている。
【００７１】
また、第３回目の走査の際に、制御部１１によって、第１復路２７１ｂのＸ２側の端部から中央線Ａまでの第１走査区間２７０において、赤色・青色ＬＤ１２および緑色ＬＤ１３にそれぞれ赤色のレーザ光、青色のレーザ光および緑色のレーザ光を発生させないように構成されている。これにより、第１復路２７１ｂのＸ２側の端部から中央線Ａまでの第１走査区間２７０は、ＲＧＢレーザ光が投影されないことによって、レーザ光停止区間２４０ｂになるように構成されている。一方、制御部１１によって、第１復路２７１ｂの中央線ＡからＸ１側の端部までの第１走査区間２７０において、赤色・青色ＬＤ１２および緑色ＬＤ１３にそれぞれ赤色のレーザ光、青色のレーザ光および緑色のレーザ光を発生させるように構成されている。これにより、第１復路２７１ｂの中央線ＡからＸ１側の端部までの第１走査区間２７０は、ＲＧＢレーザ光が投影されることによって、レーザ光投影区間２４０ａになるように構成されている。なお、第３回目の走査は、本発明の「第２の走査」の一例である。
【００７２】
また、第２実施形態では、図１２に示すように、第４回目の走査の際に、制御部１１（図２参照）によって、第２往路２８１ａのＸ１側の端部から中央線Ａまでの第２走査区間２８０において、赤色・青色ＬＤ１２（図２参照）および緑色ＬＤ１３（図２参照）にそれぞれ赤色のレーザ光、青色のレーザ光および緑色のレーザ光を発生させないように構成されている。これにより、第２往路２８１ａのＸ１側の端部から中央線Ａまでの第２走査区間２８０は、ＲＧＢレーザ光が投影されないことによって、レーザ光停止区間２４０ｂになるように構成されている。一方、制御部１１によって、第２往路２８１ａの中央線ＡからＸ２側の端部までの第２走査区間２８０において、赤色・青色ＬＤ１２および緑色ＬＤ１３にそれぞれ赤色のレーザ光、青色のレーザ光および緑色のレーザ光を発生させるように構成されている。これにより、第２往路２８１ａの中央線ＡからＸ２側の端部までの第２走査区間２８０は、ＲＧＢレーザ光が投影されることによって、レーザ光投影区間２４０ａになるように構成されている。
【００７３】
また、第４回目の走査の際に、制御部１１によって、第２復路２８１ｂのＸ２側の端部から中央線Ａまでの第２走査区間２８０において、赤色・青色ＬＤ１２および緑色ＬＤ１３にそれぞれ赤色のレーザ光、青色のレーザ光および緑色のレーザ光を発生させないように構成されている。これにより、第２復路２８１ｂのＸ２側の端部から中央線Ａまでの第２走査区間２８０は、ＲＧＢレーザ光が投影されないことによって、レーザ光停止区間２４０ｂになるように構成されている。一方、制御部１１によって、第２復路２８１ｂの中央線ＡからＸ１側の端部までの第２走査区間２８０において、赤色・青色ＬＤ１２および緑色ＬＤ１３にそれぞれ赤色のレーザ光、青色のレーザ光および緑色のレーザ光を発生させるように構成されている。これにより、第２復路２８１ｂの中央線ＡからＸ１側の端部までの第２走査区間２８０は、ＲＧＢレーザ光が投影されることによって、レーザ光投影区間２４０ａになるように構成されている。なお、第４回目の走査は、本発明の「第２の走査」の一例である。
【００７４】
また、制御部１１によって、第５回目の走査の際には、図１１に示す第１回目の走査と同様の走査が行われるとともに、第６回目の走査の際には、第２回目の走査と同様の走査が行われるように構成されている。また、制御部１１によって、第７回目の走査の際には、図１２に示す第３回目の走査と同様の走査が行われるとともに、第８回目の走査の際には、第４回目の走査と同様の走査が行われるように構成されている。すなわち、制御部１１によって、上述の第１回目の走査、第２回目の走査、第３回目の走査および第４回目の走査が１組となって繰り返されるように構成されている。なお、第２実施形態のその他の構成は、上記第１実施形態と同様である。
【００７５】
第２実施形態では、上記のように、第１回目の走査の際に、制御部１１によって、第１往路２７１ａの中央線ＡからＸ２側の端部までの第１走査区間２７０と、第１復路２７１ｂの中央線ＡからＸ１側の端部までの第１走査区間２７０とのレーザ光停止区間２４０ｂ（図１１参照）において、赤色・青色ＬＤ１２および緑色ＬＤ１３にそれぞれ赤色のレーザ光、青色のレーザ光および緑色のレーザ光を発生させないとともに、第３回目の走査の際に、第１往路２７１ａの中央線ＡからＸ２側の端部までの第１走査区間２７０と、第１復路２７１ｂの中央線ＡからＸ１側の端部までの第１走査区間２７０とのレーザ光投影区間２４０ａ（図１２参照）において、赤色・青色ＬＤ１２および緑色ＬＤ１３にそれぞれ赤色のレーザ光、青色のレーザ光および緑色のレーザ光を発生させるように構成することによって、第１回目の走査の際にレーザ光を発生させなかった第１往路２７１ａの中央線ＡからＸ２側の端部までの第１走査区間２７０と、第１復路２７１ｂの中央線ＡからＸ１側の端部までの第１走査区間２７０とを、次に第１走査区間２７０が走査される第３回目の走査の際にレーザ光を発生させることにより補うことができる。これにより、レーザ光を発生させなかった第１往路２７１ａの中央線ＡからＸ２側の端部までの第１走査区間２７０と、第１復路２７１ｂの中央線ＡからＸ１側の端部までの第１走査区間２７０とのレーザ光停止区間２４０ｂ（図１１参照）が存在することに起因して、投影領域２に投影される映像の解像度が低下するのをより抑制することができる。
【００７６】
また、第２実施形態では、上記のように、第３回目の走査の際に、制御部１１によって、第１往路２７１ａのＸ１側の端部から中央線Ａまでの第１走査区間２７０と、第１復路２７１ｂのＸ２側の端部から中央線Ａまでの第１走査区間２７０とのレーザ光停止区間２４０ｂにおいて赤色・青色ＬＤ１２および緑色ＬＤ１３にそれぞれ赤色のレーザ光、青色のレーザ光および緑色のレーザ光を発生させないように構成することによって、赤色・青色ＬＤ１２および緑色ＬＤ１３に継続的にレーザ光を発生させる状態が生じるのを抑制することができるとともに、レーザ光停止区間２４０ｂにおいてレーザ光を発している際に発生した熱を外部に放出することができる。
【００７７】
また、第２実施形態では、上記のように、第２回目の走査の際に、制御部１１によって、第２往路２８１ａの中央線ＡからＸ２側の端部までの第２走査区間２８０と、第２復路２８１ｂの中央線ＡからＸ１側の端部までの第２走査区間２８０とのレーザ光停止区間２４０ｂ（図１１参照）において、赤色・青色ＬＤ１２および緑色ＬＤ１３にそれぞれ赤色のレーザ光、青色のレーザ光および緑色のレーザ光を発生させないとともに、第４回目の走査の際に、第２往路２８１ａの中央線ＡからＸ２側の端部までの第２走査区間２８０と、第２復路２８１ｂの中央線ＡからＸ１側の端部までの第２走査区間２８０とのレーザ光投影区間２４０ａ（図１２参照）において、赤色・青色ＬＤ１２および緑色ＬＤ１３にそれぞれ赤色のレーザ光、青色のレーザ光および緑色のレーザ光を発生させるように構成することによって、第２回目の走査の際にレーザ光を発生させなかった第２往路２８１ａの中央線ＡからＸ２側の端部までの第２走査区間２８０と、第２復路２８１ｂの中央線ＡからＸ１側の端部までの第２走査区間２８０とを、次に第２走査区間２８０が走査される第４回目の走査の際にレーザ光を発生させることにより補うことができる。これにより、レーザ光を発生させなかった第２往路２８１ａの中央線ＡからＸ２側の端部までの第２走査区間２８０と、第２復路２８１ｂの中央線ＡからＸ１側の端部までの第２走査区間２８０とのレーザ光停止区間２４０ｂ（図１１参照）が存在することに起因して、投影領域２に投影される映像の解像度が低下するのをより抑制することができる。
【００７８】
また、第２実施形態では、上記のように、第４回目の走査の際に、制御部１１によって、第２往路２８１ａのＸ１側の端部から中央線Ａまでの第２走査区間２８０と、第２復路２８１ｂのＸ２側の端部から中央線Ａまでの第２走査区間２８０とのレーザ光停止区間２４０ｂにおいて赤色・青色ＬＤ１２および緑色ＬＤ１３にそれぞれ赤色のレーザ光、青色のレーザ光および緑色のレーザ光を発生させないように構成することによって、赤色・青色ＬＤ１２および緑色ＬＤ１３に継続的にレーザ光を発生させる状態が生じるのを抑制することができるとともに、レーザ光停止区間２４０ｂにおいてレーザ光を発している際に発生した熱を外部に放出することができる。なお、第２実施形態のその他の効果は、上記第１実施形態と同様である。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、上記第１および第２実施形態では、プロジェクタの一例として、携帯型プロジェクタ１（１００、２００）を示したが、本発明はこれに限らず、据え置き型のプロジェクタなどの他のプロジェクタにも適用可能である。
【００８１】
また、上記第１実施形態では、往路３１ａと復路３１ｂとから構成される往復走査区間３１が複数接続された走査区間３０を走査させた例を示すとともに、上記第２実施形態では、第１往路２７１ａと第１復路２７１ｂとから構成される第１往復走査区間２７１が複数接続された第１走査区間２７０と、第２往路２８１ａと第２復路２８１ｂとから構成される第２往復走査区間２８１が複数接続された第２走査区間２８０とを走査させた例を示したが、本発明はこれに限らず、走査区間は、往路または復路のいずれか一方向のみを走査することによって構成されてもよい。
【００８２】
また、上記第１実施形態では、制御部１１が、第１回目の走査の際にレーザ光を発生させなかった走査区間３０（図５のレーザ光停止区間４０ｂ、図７のレーザ光停止区間５０ｂおよび図９のレーザ光停止区間１６０ｂ）において、次の第２回目の走査の際にレーザ光を発生させた（図６のレーザ光投影区間４０ａ、図８のレーザ光投影区間５０ａおよび図１０のレーザ光投影区間１６０ａ）例を示すとともに、上記第２実施形態では、制御部１１が、第１回目の走査の際にレーザ光を発生させなかった第１走査区間２７０（図１１のレーザ光停止区間２４０ｂ）において、次に第１走査区間２７０が走査される第３回目の走査の際にレーザ光を発生させる（図１２のレーザ光投影区間２４０ａ）とともに、第２回目の走査の際にレーザ光を発生させなかった第２走査区間２８０（図１１のレーザ光停止区間２４０ｂ）において、次に第２走査区間２８０が走査される第４回目の走査の際にレーザ光を発生させた（図１２のレーザ光投影区間２４０ａ）例を示したが、本発明はこれに限らず、前回の走査の際にレーザ光を発生させなかった走査区間が次に走査される際においても、レーザ光を発生させないように構成してもよい。
【００８３】
また、上記第１実施形態では、制御部１１が、第１回目の走査の際にレーザ光を発生させた走査区間３０（図５のレーザ光投影区間４０ａ、図７のレーザ光投影区間５０ａおよび図９のレーザ光投影区間１６０ａ）において、次の第２回目の走査の際にレーザ光を発生させない（図６のレーザ光停止区間４０ｂ、図８のレーザ光停止区間５０ｂおよび図１０のレーザ光停止区間１６０ｂ）例を示すとともに、上記第２実施形態では、制御部１１が、第１回目の走査の際にレーザ光を発生させた第１走査区間２７０（図１１のレーザ光投影区間２４０ａ）において、次に第１走査区間２７０が走査される第３回目の走査の際にレーザ光を発生させない（図１２のレーザ光停止区間２４０ｂ）とともに、第２回目の走査の際にレーザ光を発生させた第２走査区間２８０（図１１のレーザ光投影区間２４０ａ）において、次に第２走査区間２８０が走査される第４回目の走査の際にレーザ光を発生させない（図１２のレーザ光停止区間２４０ｂ）例を示したが、本発明はこれに限らず、前回の走査の際にレーザ光を発生させた走査区間において次に走査される際においても、レーザ光を発生させるように構成してもよい。すなわち、一部の走査区間においてレーザ光が重なるように構成してもよい。
【００８４】
また、上記第１および第２実施形態では、制御部１１が走査区間３０において中央線Ａでレーザ光投影区間４０ａ（２４０ａ）とレーザ光停止区間４０ｂ（２４０ｂ）とを切り替えた例を示すとともに、上記第１実施形態では、制御部１１が走査区間３０において線Ｂ、中央線Ａおよび線Ｃで、それぞれ、レーザ光投影区間５０ａとレーザ光停止区間５０ｂとを切り替えた例を示したが、本発明はこれに限らず、制御部は、線Ｂ、中央線Ａおよび線Ｃ以外の走査位置でレーザ光投影区間とレーザ光停止区間とを切り替えるように構成してもよい。たとえば、走査区間において仮想上の２本の線でレーザ光投影区間とレーザ光停止区間とを切り替えるように構成してもよい。また、制御部は、走査区間においてレーザ光投影区間とレーザ光停止区間とが同一の間隔になるように切り替えなくてもよい。
【００８５】
また、上記第１実施形態では、赤色・青色ＬＤ１２および緑色ＬＤ１３に対して供給される電流が所定の電流値より大きい状態が所定の期間継続した場合に、中央線Ａでレーザ光投影区間４０ａとレーザ光停止区間４０ｂとが切り替わるように制御部１１によって制御されていた状態から、線Ｂ、中央線Ａおよび線Ｃで、それぞれ、レーザ光投影区間５０ａとレーザ光停止区間５０ｂとが切り替わるように制御部１１によって制御されるように構成した例を示したが、本発明はこれに限らず、供給される電流の電流値および電流が供給される時間以外の条件に基づいて、レーザ光投影区間とレーザ光停止区間とを切り替えてもよい。また、レーザ光発生部に対して供給される電流が所定の電流値よりも大きければ、電流が供給される時間の長さにかかわらず、レーザ光投影区間とレーザ光停止区間とが切り替わるように構成してもよい。
【００８６】
また、上記第１実施形態では、赤色・青色ＬＤ１２および緑色ＬＤ１３に対して供給される電流が所定の電流値より大きい状態が所定の期間継続した場合に、中央線Ａでレーザ光投影区間４０ａとレーザ光停止区間４０ｂとが切り替わるように制御部１１によって制御されていた状態から、線Ｂ、中央線Ａおよび線Ｃで、それぞれ、レーザ光投影区間５０ａとレーザ光停止区間５０ｂとが切り替わるように制御部１１によって制御されるように構成した例を示したが、本発明はこれに限らず、レーザ光発生部に対して供給される電流の大きさに応じて、レーザ光停止区間の数を変更させるとともに、レーザ光停止区間の長さを変更するように構成されていれば、供給される電流が所定の電流値より大きい状態が所定の期間継続した場合に、中央線Ａで切り替えていた状態から、線Ｂ、中央線Ａおよび線Ｃ以外の走査位置でレーザ光投影区間とレーザ光停止区間とを切り替えるように構成してもよい。この際、２箇所の走査位置または４箇所以上の走査位置でレーザ光投影区間とレーザ光停止区間とを切り替えるように構成してもよい。
【００８７】
また、上記第１および第２実施形態では、往路３１ａのＸ１側の端部から中央線Ａまでの走査区間の長さＬ１と往路３１ａの中央線ＡからＸ２側の端部までの走査区間の長さＬ２とが、略同一であり、それぞれ、往路３１ａの長さの略半分であるとともに、復路３１ｂの長さの略半分である例を示したが、本発明はこれに限らず、長さＬ１と長さＬ２とは、略同一でなくてもよいし、それぞれ、往路の長さの略半分または復路の長さの略半分でなくてもよい。
【００８８】
また、上記第１実施形態では、往路３１ａのＸ１側の端部から線Ｂまでの走査区間の長さＬ３と、往路３１ａの線Ｂから中央線Ａまでの走査区間の長さＬ４と、往路３１ａの中央線Ａから線Ｃまでの走査区間の長さＬ５と、往路３１ａの線ＣからＸ２側の端部までの走査区間の長さＬ６とが、互いに略同一であるように構成した例を示したが、本発明はこれに限らず、長さＬ３、Ｌ４、Ｌ５およびＬ６は、互いに略同一でなくてもよい。
【００８９】
また、上記第１および第２実施形態では、投影部として振れ角αを有する振動可能な小型の振動ミラー素子であるスキャナーミラー１５を用いた例を示したが、本発明はこれに限らず、投影部は振動ミラー素子に限られず、レーザ光を走査可能なものであればよい。
【００９０】
また、上記第１および第２実施形態では、レーザ光発生部として赤色・青色ＬＤ１２および緑色ＬＤ１３を用いることによって、ＲＧＢレーザ光を投影領域２に投影した例を示したが、本発明はこれに限らず、レーザ光発生部を、１つのＬＤからＲＧＢレーザ光を発生させるように構成してもよい。また、レーザ光発生部を、単色のレーザ光のみを発生させるように構成してもよいし、２色または４色以上のレーザ光を発生させるように構成してもよい。
【００９１】
また、上記第１および第２実施形態では、レーザ光発生部として１つのＬＤから赤色のレーザ光および青色のレーザ光の２色のレーザ光を発生させることが可能な赤色・青色ＬＤ１２を用いた例を示したが、本発明はこれに限らず、赤色のレーザ光を発生させる赤色ＬＤと、青色のレーザ光を発生させる青色ＬＤとを、別々に設けてもよい。
【００９２】
また、上記第１および第２実施形態では、携帯型プロジェクタ１（１００、２００）がＶＧＡ端子１０を介してパーソナルコンピュータ３から入力される映像を投影領域２に投影するように構成した例を示したが、本発明はこれに限らず、投影領域に投影される映像は、端子を介して入力されるものに限定されない。たとえば、携帯型プロジェクタは、ＰＣに組み込まれるとともに、ＰＣからの映像を投影領域に投影するように構成してもよい。また、投影領域に投影される映像は、ＰＣから入力されるものに限定されない。たとえば、携帯型プロジェクタは、カードスロットを介して、メモリーカードに記憶された映像を投影領域に投影するように構成してもよい。
【符号の説明】
【００９３】
１、１００、２００  携帯型プロジェクタ（プロジェクタ）
４  ユーザ
１１  制御部
１２  赤色・青色ＬＤ（レーザ光発生部）
１３  緑色ＬＤ（レーザ光発生部）
１５  スキャナーミラー（投影部）
３０  走査区間
３１  往復走査区間
３１ａ  往路
３１ｂ  復路
２７０  第１走査区間
２７１  第１往復走査区間（往復走査区間）
２７１ａ  第１往路（往路）
２７１ｂ  第１復路（復路）
２８０  第２走査区間
２８１  第２往復走査区間（往復走査区間）
２８１ａ  第２往路（往路）
２８１ｂ  第２復路（復路）
【図１】
2014199450.tif 000003
【図２】
2014199450.tif 000004
【図３】
2014199450.tif 000005
【図４】
2014199450.tif 000006
【図５】
2014199450.tif 000007
【図６】
2014199450.tif 000008
【図７】
2014199450.tif 000009
【図８】
2014199450.tif 000010
【図９】
2014199450.tif 000011
【図１０】
2014199450.tif 000012
【図１１】
2014199450.tif 000013
【図１２】
2014199450.tif 000014